(57)【要約】【課題】オフセット印刷機におけるブランケット巻き締め方式においては、ブランケット両端の固定金具が平行でない場合、ブランケット胴円周方向平行に装着しない場合はブランケット面内でテンションムラが発生してしまう問題を解消した印刷装置を提供する。【解決手段】本発明に関わるブランケット巻き込み機構を採用した印刷装置は、ブランケット胴の円周接線方向にブランケットのテンションを張れる位置にブランケット巻き込み軸を設置し、又２本の巻き込み軸を各々に軸方向別々にブランケット胴円周方向へ可動出来る様にした事でブランケット面内のテンションムラを防止する機構とした。この巻き込み軸の可動部分において、ブランケットの弛みを電気的制御、若しくは機械的制御を使用してリアルタイムで一定圧管理する事も可能となる。【選択図】図６
2006281484.tif 000002
【特許請求の範囲】
【請求項１】
印刷版にインキを供給するディスペンサ装置、
前記版上の余分なインキをかきとるドクターブレード、
前記版上のインキパターンを受理して、被印刷物上に転移するブランケット、
とを少なくとも具備するオフセット印刷装置において、
前記ブランケットは、ブランケット胴の表面に、シリコーン系ゴム製シートを巻き付けて固定した構成であり、
ブランケット胴の軸方向に、前記シートを固定するための巻き軸が２本以上設けられており、それら巻き軸が前記シートを巻き付ける張力を独立して制御可能な構成であることを特徴とするオフセット印刷装置。
【請求項２】
ブランケット表面にインキを供給するディスペンサ装置、
前記ブランケット上のインキを、非画線部パターン状に選択的に受理する版、
前記版により除去された画線部パターン状のインキパターンを、被印刷物上に転移する前記ブランケット、
とを少なくとも具備するオフセット印刷装置において、
前記ブランケットは、ブランケット胴の表面に、シリコーン系ゴム製シートを巻き付けて固定した構成であり、
ブランケット胴の軸方向に、前記シートを固定するための巻き軸が２本以上設けられており、それら巻き軸が前記シートを巻き付ける張力を独立して制御可能な構成であることを特徴とするオフセット印刷装置。
【請求項３】
２本以上の巻き軸による張力制御方式が、電気制御あるいは機械制御によるリアルタイム制御であることを特徴とする請求項１または２に記載のオフセット印刷装置。
【請求項４】
２本以上の巻き軸による張力制御方式が、手動によることを特徴とする請求項１または２に記載のオフセット印刷装置。
【発明の詳細な説明】
【技術分野】
【０００１】
本発明は、オフセット印刷法によって微細なパターンを被写体に面内均一かつ高位置精度で、さらに連続的に安定して形成する技術に関する。
詳細には、液晶ディスプレイ（ＬＣＤ）用カラーフィルタにおけるパターン，有機エレクトロルミネッセンス（ＥＬ）素子の発光層や電荷輸送層，有機薄膜トランジスタ（ＴＦＴ）基板における電極パターン，電磁波シールドにおけるシールドパターン等の高精細パターンの形成に適したオフセット印刷装置の改良に関する。
【背景技術】
【０００２】
現在、微細なパターンを被写体に面内均一かつ高位置精度で、さらに連続的に安定して形成する方法としてフォトリソグラフィー法が主に使用されている。
しかしながら、フォトリソグラフィー法はプロセスが複雑で、パターン形成に必要な製造設備等が高価であるために、製造コストが高くなるという問題がある。
【０００３】
そこで、フォトリソグラフィー法に代わって、印刷用ブランケットとしてシリコーン系ゴムを用いたものを使用し、印刷用ブランケットから被印刷体として硝子等の基板へ印刷インキを転写させるオフセット印刷が注目されつつある。
尚、本願においては、ブランケット表面で印刷インキパターンを形成するための画線部／非画線部を規定する手法を問わず、ブランケットを介して被印刷体に印刷インキパターンを転移する方式を総称して、オフセット印刷と称することとする。
【０００４】
シリコーン系ゴム製ブランケットを用いたオフセット印刷方法の改良に係る提案として、以下に例示する文献が知られている。
【特許文献１】特開平７−２７６７７５号公報
【特許文献２】特開平９−７１０６１号公報
【特許文献３】特開平１６−１７３１０号公報
【０００５】
オフセット印刷では版から被印刷物へインキを転写する際にシリンダーに巻き回し装着したブランケットを介して印刷しており、ブランケットのシリンダーへの固定方法は巻き軸と呼ばれるシャフトに取り付けて巻き込まれる。
【０００６】
従来のオフセット印刷機のブランケット胴を図1および図２，図３により説明する。
オフセット印刷機では、刷版から被印刷物へインキを画線部／非画線部に分けて印刷転写する為の媒体役である図１に示すブランケット胴１を有している。
このブランケット胴１は、図２の断面図に示すブランケット胴本体２とシート状のブランケット３を備えており、このブランケット胴本体２の外周面の軸方向に沿って溝４(以下、ギャップと表記)を設け、該ギャップ４の下側にはシート状のブランケット３（図３）の両端を巻き付け装着する為の回動自在に取り付けられた巻き込み軸５，６を装備している。
【０００７】
図２に示す様に、両端に金具７，８を取り付けたブランケット３の一端の金具７側をこの巻き込み軸５に固定し、シリコーン系ゴムなどのシート状材料からなるブランケット３をこのブランケット胴本体２の外周に巻き回して、他端金具８側をもう一方の巻き込み軸６へ同様に固定する。
更に、これらブランケット３の両端の金具７，８を巻き込軸５，６にて巻き込み固定する構成となっている。
【発明の開示】
【発明が解決しようとする課題】
【０００８】
しかしながら、前述の様なブランケット巻き締め方式においては、図３に示すように、金具７，８がブランケット３の両端に平行に取り付いていない場合、若しくは図４に示すように、ブランケット３をブランケット胴本体２に巻き付け装着する際、ブランケット３がブランケット胴本体２の周回方向に対して平行に巻き付けられていない場合、巻き込み軸５，６で巻き込み装着する際に、ブランケットの面内でテンションムラが発生してしまう。その為、印刷面内において見当ズレが生じてしまう場合があった。
また、図３に示すように金具７，８をブランケット３に平行に取り付ける作業は容易ではなく、又ブランケット胴本体２にブランケット３の円周方向平行に装着する事も手間であり、難しい作業であった。
【０００９】
オフセット印刷装置では印刷時、ブランケット胴１は刷版或いは被印刷物との間で印圧を掛けた状態で同方向に回転する為、ブランケットの弛みが印刷終わり方向に集中してしまう。その為、印刷を繰り返した後、一度機械を停止しブランケットの増し締めを行う必要がある。
【００１０】
図２に示す様に、オフセット印刷機ではブランケットのギャップ４内にブランケットを巻き込む為の巻き込み軸５，６が設置されているが、ギャップの底部に設置されている為、ブランケットを巻き込むとギャップのエッジ９部分でテンションに抵抗が発生してしまい、胴中部分迄十分にテンションをかける事が出来ない。
【００１１】
本発明の目的は、従来のオフセット印刷機のブランケット巻き締め機構において、ブランケット装着時、印刷時に発生するブランケットの張りムラ，弛みを防止し、印刷品質の安定，機械稼働率を向上出来るブランケット巻き締め機構を提供する事にある。
【課題を解決するための手段】
【００１２】
上記目的を達成する為、本発明によるオフセット印刷装置では、
ブランケット胴の軸方向に、前記シートを固定するための巻き軸が２本以上設けられており、それら巻き軸が前記シートを巻き付ける張力を独立して制御可能な構成であることを特徴とする。
【発明の効果】
【００１３】
本発明によれば、巻き締めを行う際に発生したブランケット胴軸方向に対してのテンションムラや印刷中に生じたブランケットの弛みに対して常時一定圧でテンションをかける事が可能であり、ブランケット装着作業・調整の時間的ロスが削減出来ると共に、品質的にも安定して印刷を行う事が可能となる。
【発明を実施するための最良の形態】
【００１４】
以下、本発明の実施形態を、図５，図６を参照にしながら詳細に説明する。
本発明の一実施形態としては、図５に示すように、ブランケット巻き込み機構は、ブランケット胴1の円周接線方向にテンションを張れる位置に巻き込み軸を設置し、又２本の巻き込み軸を各々、軸方向で別々にブランケット胴円周接線方向へ可動出来る機構である。
この巻き込み軸の可動部分において、ブランケットの弛みを電気的，機械的，空圧，油圧を利用して、リアルタイムで一定圧管理制御する事が可能である。
【００１５】
上記ブランケット巻き込み機構は、図６（図５の断面図を、上から見た図にあたる）に示すように、ブランケット３をブランケット胴に巻き付け固定する巻き込み軸５，６とその巻き込み軸を回転させる為の巻き締め部１０，１１，１２，１３及び巻き締め部を円周接線方向へ可動させる為の駆動用アクチュエーター（本例では油圧シリンダーとして説明）１４，１５，１６，１７から構成されている。
【００１６】
図６に示す様に、ギャップ側面１８，１９内には、巻き締め部をブランケット胴円周接線方向へ駆動させる為の油圧シリンダー１４，１５，１６，１７がギャップ側面１８，１９に設置されている。
【００１７】
上記油圧シリンダー１４，１５，１６，１７はフローティングジョイント２０，２１，２２，２３を介して巻き締め部１０，１１，１２，１３に連結されている。
この時、油圧シリンダーの駆動ロットがギャップ側面に対し垂直方向に可動する様に、油圧シリンダーは固定されている。
【００１８】
巻き締め部１０，１１，１２，１３には、トルクをかけて巻き込み軸を回転させる為の作動用のウォームギヤが設けてあり、上記油圧シリンダーとは独立して作動させる事が可能である。
【００１９】
上記油圧シリンダー圧を同圧にする為に、該油圧シリンダーの作動油は１本の耐圧・耐油チューブから２本に分岐して各々の油圧シリンダーに接続されている。
上記油圧チューブは、ブランケット胴内部を経由しロータリジョイントを介してブランケット胴軸芯から外部の作動ポンプへ接続されている。
【００２０】
油圧ポンプから油圧シリンダー間には、油圧シリンダーの圧力を調整する為のレギュレーターを有する。
【００２１】
上述の油圧シリンダー，ポンプに関しては、低圧でのみの使用であればエアー仕様の物でも構わない。
以下、本発明の具体的な実施例について記載する。
【実施例】
【００２２】
本発明についての実施例について、図３〜図７に基づいて説明する。
図５に示す様に、ブランケット３をブランケット胴に装着固定する為にブランケット胴本体２の軸方向にギャップ４を有しており、このギャップ内にブランケットを巻き込む為の巻き込み軸５、６がブランケット胴円周接線方向にブランケットを巻き込める様な位置に設けられている。
【００２３】
ブランケット胴に装着するブランケットは、図３に示す様にシート状であり、その両端には全幅に渡って金具７，８を有している。
【００２４】
図５に示す様に、シート状ブランケット３の一端の金具７を巻き込み軸５に固定し巻き上げる。ブランケット３をブランケット胴本体２の外周に沿って巻き、ブランケットのもう一端の金具８をもう一方の巻き込み軸６に固定し巻き上げる。
【００２５】
この時、図６に示す様に、巻き込み軸５，６の軸端部には円周接線方向へ押す為の油圧シリンダー１４，１５，１６，１７が操駆で別々にギャップ側面に取り付けられている。
【００２６】
図７に示す様に、油圧シリンダー１４，１５，１６，１７はフローティングジョイント２０，２１，２２，２３を介して巻き込み軸１０，１１，１２，１３と接続されている。
【００２７】
油圧チューブはブランケット胴内部を経由し、ロータリージョイント２４を介してブランケット胴軸心から外部の圧力発生油圧ポンプ（図示せず）へ接続されている。
図示しないが、油圧シリンダーの圧力制御（ブランケットのテンション圧）はブランケット胴の外部にある作動油タンク，圧力発生油圧ポンプ，圧力制御弁を用いて行っている。
【００２８】
油圧シリンダーを作動させた後、巻き込み軸５，６をウォームギヤにて巻き込む。
油圧シリンダーのロッドが最伸最縮しない間であれば、ブランケットの引っ張りテンションは操駆方向で均一の圧となる。
【００２９】
この時、図３に示すようにブランケット金具７，８が平行でない場合、若しくは図４の様にブランケットがブランケット胴の円周接線方向に平行に巻かれていない場合でもブランケット面内で均一にテンションを掛ける事が可能である。
又、印刷中にブランケットに弛みが発生した場合も、常に一定のテンションがかかる為、弛みとしての症状は発生しない。
なお、本発明は前述の実施例に限定されるものではなく、電気制御を使用したものなど、本発明を達成出来る範囲での改良・変形等は、本発明の主旨を逸脱するものではない。
【産業上の利用可能性】
【００３０】
本発明に関わるブランケット巻き締め機構を採用したオフセット印刷装置は、通常のブランケットを使用して印刷する商業オフセット印刷の他、印刷精度が要求される反転印刷ＣＦでのブランケット巻きにも適用可能である。
【図面の簡単な説明】
【００３１】
【図１】オフセット印刷で用いられるブランケット胴の外観図。
【図２】ブランケット胴のギャップ部分（ブランケット装着部）を図１の側面から見た概略図。
【図３】オフセット印刷で使用されるシート状のブランケットを示す説明図。
【図４】ブランケットを装着する為のギャップ部分（図２）を鳥瞰図として図示した説明図。
【図５】本発明のブランケットを装着する為のギャップ部分を鳥瞰図として図示した説明図。
【図６】本発明のブランケットを装着する為のギャップ部分をブランケット胴正面から図示した説明図。
【図７】本発明のブランケット装着固定する為の機構をブランケット胴正面から図示した説明図。
【符号の説明】
【００３２】
１  ブランケット胴
２  ブランケット胴本体
３  ブランケット
４  溝（ギャップ）
５，６  巻き込み軸
７，８  金具
９  エッジ部
１０，１１，１２，１３  巻き込み軸受け
１４，１５，１６，１７  油圧シリンダー
１８，１９  ギャップ側面部
２０，２１，２２，２３  フローティングジョイント
２４  ロータリージョイント
【図１】
2006281484.tif 000003
【図２】
2006281484.tif 000004
【図３】
2006281484.tif 000005
【図４】
2006281484.tif 000006
【図５】
2006281484.tif 000007
【図６】
2006281484.tif 000008
【図７】
2006281484.tif 000009